(57)【要約】      （修正有）【課題】環境汚染を引き起こすことのない清浄な気体を排気口から排出でき、調理時に臭気が発生しやすく環境や空気の汚染に深刻な影響を与えるという問題を解決できる、厨房油煙の油分除去および脱臭設備を提供する。【解決手段】厨房油煙の油分除去および脱臭設備は、内部に収容空間を有する本体を含み、本体の一側には吸気口を有し、他側には排気口を有し、吸気口、排気口と収容空間の三者は相互連通する。吸気口は収容空間に油煙廃気を取り込む。前処理フィルタ４０１と後処理フィルタ４０２を含む濾過装置と殺菌装置３００がこの収容空間内に設置され、油煙廃気の油汚れの吸着、臭気の濾過および脱臭浄化等の工程を行う。【選択図】図２
0003204813.tif 000002
【実用新案登録請求の範囲】
【請求項１】
内部に１つの収容空間を有し、一側には１つの吸気口を有し、他側には１つの排気口を有し、前記吸気口、前記排気口と前記収容空間は相互連通し、かつ前記吸気口は油煙廃気を前記収容空間に取り込む１つの本体と、
前記収容空間内に設置され、前記油煙廃気中の油汚れを濾過して除去すると同時に前記油煙廃気の臭気を吸着するのに用いられる１つの濾過装置と、
前記収容空間内に設置され、前記油煙廃気の脱臭および浄化を行うのに用いられる１つの殺菌装置と、を含む、
厨房油煙の油分除去および脱臭設備。
【請求項２】
前記濾過装置は、前記吸気口の隣に近接設置されて前記油煙廃気の濾過を行う少なくとも１つの前処理フィルタをさらに含む、請求項１に記載の厨房油煙の油分除去および脱臭設備。
【請求項３】
前記濾過装置は、前記排気口の隣に近接設置されて前記油煙廃気の濾過を行う少なくとも１つの後処理フィルタをさらに含む、請求項１または２に記載の厨房油煙の油分除去および脱臭設備。
【請求項４】
前記殺菌装置は前記前処理フィルタの前方または後方に設置される、請求項３に記載の厨房油煙の油分除去および脱臭設備。
【請求項５】
前記殺菌装置は前記後処理フィルタの前方または後方に設置される、請求項３に記載の厨房油煙の油分除去および脱臭設備。
【請求項６】
前記少なくとも１つの前処理フィルタは活性炭材質を含有する、請求項２に記載の厨房油煙の油分除去および脱臭設備。
【請求項７】
前記少なくとも１つの前処理フィルタは平面状または屈曲状である、請求項２に記載の厨房油煙の油分除去および脱臭設備。
【請求項８】
前記活性炭材質は前記前処理フィルタを部分的に覆う、請求項６に記載の厨房油煙の油分除去および脱臭設備。
【請求項９】
前記少なくとも１つの後処理フィルタは活性炭材質を含有する、請求項３に記載の厨房油煙の油分除去および脱臭設備。
【請求項１０】
前記少なくとも１つの後処理フィルタは平面状または屈曲状である、請求項３に記載の厨房油煙の油分除去および脱臭設備。
【請求項１１】
前記活性炭材質は後記後処理フィルタを部分的に覆う、請求項９に記載の厨房油煙の油分除去および脱臭設備。
【請求項１２】
前記殺菌装置は、オゾンおよび紫外線を利用して前記油煙廃気の臭気を除去するとともに前記油煙廃気の脱臭および浄化を行う少なくとも１つの紫外線（ＵＶＣ）ランプを含む、請求項１に記載の厨房油煙の油分除去および脱臭設備。
【請求項１３】
前記紫外線（ＵＶＣ）ランプは１つのＵ字管型ランプである、請求項１２に記載の厨房油煙の油分除去および脱臭設備。
【請求項１４】
前記紫外線（ＵＶＣ）ランプは前記収容空間内に水平または斜めに設置される、請求項１２に記載の厨房油煙の油分除去および脱臭設備。
【請求項１５】
前記紫外線（ＵＶＣ）ランプの作用効率は前記吸気口の油煙廃気の流量によって決まる、請求項１２に記載の厨房油煙の油分除去および脱臭設備。
【請求項１６】
前記吸気口の油煙廃気の面風速は３ｍ／ｓｅｃより小さい、請求項１に記載の厨房油煙の油分除去および脱臭設備。
【請求項１７】
前記本体は１つの油煙排気装置と接続できる、請求項１に記載の厨房油煙の油分除去および脱臭設備。
【考案の詳細な説明】
【技術分野】
【０００１】
本考案は厨房油煙の油分除去および脱臭設備に関し、特に、活性炭フィルタと紫外線（ＵＶＣ）ランプを利用することで、厨房における油煙の脱臭と油分除去を同時に行う効果を有する設備に関する。
【背景技術】
【０００２】
一般的にレストランやキッチンで食材を調理する際は、大量の油煙が発生することが多く、このような油煙がその空間一帯に拡散すると、油煙に含まれた油汚れが壁面や壁の隅等の箇所に堆積しやすく、油汚れが溜まって落とし難くなるという問題が生じ、環境衛生に深刻な影響をもたらす。
このため、飲食業界では現在このような問題を解決するために、油煙に混じった油汚れの除去に使用される油煙浄化設備の研究開発を行い、前述の問題の改善を図っている。中でもよく見られる油煙浄化設備の油汚れ除去の原理は主に、水の入ったタンク装置に油煙を取り込み、シャワーまたは噴霧機によりミスト状の水を噴射し、油煙中の油汚れを噴射されたミストに付着させてタンクの水に落とし、水中に残った油汚れが水の表面に浮かぶようにする。そして、油煙中の油分を除去した後に発生した気体を当該タンク装置から排出することにより、できるだけ油分除去の目的を果たすというものである。
【０００３】
しかし、上述の問題に対するこのような従来技術には留意すべき点がある。この種の油煙浄化設備は、油煙中に混じった油汚れを除去することはできるが、油煙のもたらす臭気を解消することはできない。その原因は、油煙がタンク装置を通過した後、簡単なシャワーまたは噴霧機により油汚れを当該タンク装置内に溜めることができるだけで、油分を除去した後の気体は当該タンク装置外にそのまま排出され、濾過するためのフィルタリング構造を備えないことにある。
したがって、排出された気体は依然として臭気や油汚れによる異臭を帯びており、食材を調理した臭いがその空間一帯に充満して気分を悪くする。飲食店で臭いの強い食材（たとえば、ねぎ、しょうが、にんにく、スパイス等）を調理する際、これらの食材から生じる臭いの問題はより大きくなる傾向にあり、油煙浄化設備の既存製品の実用価値と実用性に大幅に響く。また、環境や空気の汚染に対する負荷もさらに大きくなり、周囲の環境の質や清潔度に重大な影響を及ぼす。
【０００４】
したがって、従来技術が抱える多くの問題を解決するために、本考案の考案者は上述の欠点を改善できるものと信じ、長年従事している本分野に関する経験に基づき、観察と研究に全力を傾け、学理も活用することにより、新規性を有する設計であり、かつ上述の欠点を改善するのに有効な本考案を提案するに至った。
ここでは、活性炭フィルタと紫外線（ＵＶＣ）ランプを利用し、厨房における油煙の異臭と油分の除去を行う設備を開示する。その具体的な構造および実施方法は後に詳述する。
【考案の概要】
【考案が解決しようとする課題】
【０００５】
従来技術が抱える問題の解決における本考案の目的は、既存の一般的な油煙浄化設備に改良を加えることにより、問題の大幅な改善に役立ち、油煙の異臭の除去により有効であり、同時に油分の除去も行えるという優れた効果を有する、厨房油煙の油分除去および脱臭設備を提供することである。ここにおける厨房油煙の油分除去および脱臭設備は主に、１つの濾過装置と１つの殺菌装置を利用したものであり、油煙廃気の濾過、脱臭および殺菌を行い、これらの工程を経た気体は清浄気体となり排気口から排出される。
本考案の実施により、この厨房油煙の油分除去および脱臭設備をキッチンや大型レストランの油煙排気装置に応用することで、本考案が油煙臭気除去と油分濾過を同時に行える極めて効率の高い装置であることが実証される。
【０００６】
本考案のもう１つの目的は、飲食店が使用する既存の油煙排気装置の分野に応用できるだけでなく、その他臭気除去を行う必要があるダクトや換気装置にも応用でき、知らぬ間に応用範囲が広がり、その産業上の利用可能性も高められる、厨房油煙の油分除去および脱臭設備を提供することである。
【課題を解決するための手段】
【０００７】
したがって、従来技術が抱える問題の解決のために本考案が開示する厨房油煙の油分除去および脱臭設備は、１つの本体を含み、その内部には１つの収容空間を有し、本体の一側には１つの吸気口を有し、他側には１つの排気口を有し、吸気口、排気口と収容空間の三者は相互連通し、かつ吸気口は収容空間に油煙廃気を取り込むのに用いられる。１つの濾過装置はこの収容空間内に設置され、油煙廃気中の油汚れを濾過すると同時に油煙廃気の臭気を吸着するのに用いられる。また、１つの殺菌装置はこの収容空間内に設置され、油煙廃気の脱臭および浄化を行うのに用いられる。本考案が開示する厨房油煙の油分除去および脱臭設備によれば、油煙廃気は一定の濾過、脱臭および殺菌工程を経た後、清浄気体となって排気口から排出され、脱臭および油分除去の効果が達成される。
【０００８】
本考案の実施例における濾過装置は、１つまたは１つ以上の前処理フィルタをさらに含むことができ、前処理フィルタは吸気口の隣に近接設置され、油煙廃気の濾過を行う。もしくは、濾過装置は１つまたは１つ以上の後処理フィルタをさらに含むことができ、後処理フィルタは排気口の隣に近接設置され、油煙廃気の２回目の濾過を行う。もしくは、濾過装置は前述の前処理フィルタまたは後処理フィルタのいずれか１つを含むこともできる。ここでは、殺菌装置を前処理フィルタの前方か後方、または後処理フィルタの前方か後方に設置することを選択でき、これらはすべて本考案の目的の実現に用いることができる。
【０００９】
また、本考案が開示する前処理フィルタまたは後処理フィルタは活性炭材質をさらに含有することができ、活性炭材質はフィルタの面積を部分的に覆う。さらに、前処理フィルタまたは後処理フィルタの外観を平面状または屈曲状にすることにより、活性炭の油煙の臭気を吸着する作用面積が増加する。
【００１０】
本考案の実施例によれば、殺菌装置は、１つまたは１つ以上の紫外線（ＵＶＣ）ランプをさらに含むことができ、紫外線（ＵＶＣ）ランプから発生するオゾンおよび紫外線を利用して油煙廃気の臭気を除去し、かつ油煙廃気の脱臭および浄化を同時に行う。前記紫外線（ＵＶＣ）ランプはたとえば、前記収容空間内に水平または斜めに設置され、その作用効率は吸気口の油煙廃気の流量によって自ら調整することができる。
【考案の効果】
【００１１】
本考案が提案する厨房油煙の油分除去および脱臭設備は主に、１つの濾過装置と１つの殺菌装置を利用したものであり、油煙廃気の濾過、脱臭および殺菌を行い、これらの工程を経た気体は清浄気体となって排気口から排出される。
本考案の実施例によれば、殺菌装置はオゾンと紫外線を利用して油分除去と脱臭を一度に実行できる紫外線（ＵＶＣ）ランプを選んで用いることができ、その規格は実施上のニーズに応じて自ら調整することができる。さらに、濾過装置には活性炭材質を含有するフィルタを選んで用いることができ、油煙廃気がフィルターを通過する時、活性炭により油煙中の臭気および油汚れが吸着される。これにより、本考案には油分除去効果と脱臭効果が兼ね備わり、周囲の衛生的な環境が確保され、かつ製品の実用性等の進歩性が大幅に高められる。
従来技術に比べ、本考案が開示する厨房油煙の油分除去および脱臭設備がより優れたコストパフォーマンスと性能効率を有するのは明らかであり、実際に極めて優れた産業発展性と広く発展する潜在力を有する。
【００１２】
本考案の応用範疇は従来技術に比べ、大幅に成長拡大しており、より高い産業上の利用性と発展潜在力を兼ね備える。このことから、本考案の目的および効果が先行技術よりも優れていることは明らかであり、本考案が開示する技術の特徴、方法手段および達成される効果は既存の技術のそれらとは顕著に異なり、当業者が容易に成し得るものではないので、実用新案登録要件を備えている。
【図面の簡単な説明】
【００１３】
【図１】本考案の実施例による厨房油煙の油分除去および脱臭設備を示す図。
【図２】本考案の１つの実施例による厨房油煙の油分除去および脱臭設備の斜視図。
【図３】本考案の図２の側面図。
【図４】本考案の図２の平面図。
【図５】本考案のもう１つの実施例による厨房油煙の油分除去および脱臭設備の斜視図。
【図６】本考案の図５の側面図。
【図７】本考案のさらなる実施例による厨房油煙の油分除去および脱臭設備の側面図。
【図８】本考案の図７の平面図。
【図９】本考案のさらにもう１つの実施例による厨房油煙の油分除去および脱臭設備の側面図。
【図１０】本考案の図９の平面図。
【図１１】本考案のさらにもう１つの実施例による平面図。
【図１２】本考案のさらにもう１つの実施例による側面図。
【考案を実施するための形態】
【００１４】
以上が本考案の概要であり、これから述べる実施例は、本考案の精神と原理の説明に用いられ、本考案の実用新案登録請求の範囲をさらに説明するための例である。
本考案の目的、技術内容、特徴、実施および達成される効果が容易に理解できるように、好ましい実施例について以下に図面を参照しながら具体的かつ詳細に説明する。
【実施例】
【００１５】
食材の調理時に強い臭いが発生し、環境や空気の汚染に深刻な影響を与えるという飲食店の多くが目下抱える問題を解決するために、本考案はこの欠点に対する有効な改良技術を提案する。ここで開示される厨房油煙の油分除去および脱臭設備の構造については図１乃至図２を参照されたい。
本考案が開示する厨房油煙の油分除去および脱臭設備１００の本体は１つの油煙排気装置１に接続し、油煙排気装置１から排出された油煙廃気１１を受ける。本考案の実施例によれば、油煙排気装置１はたとえばレストランやキッチンの排煙ダクトまたはレンジフードであり、油煙排気装置１が排出した油煙廃気１１は、本考案が開示する厨房油煙の油分除去および脱臭設備１００により実行される濾過、脱臭および殺菌の工程を経て、脱臭および油分除去の後に清浄気体２１となり、最後に外部空間に排出されるので、環境や空気の汚染をきたす確率が低減される。
【００１６】
図２は本考案の実施例による厨房油煙の油分除去および脱臭設備１００の斜視図である。図が示すように、厨房油煙の油分除去および脱臭設備１００は１つの本体２００を含み、その内部には１つの収容空間２００を有し、本体２００の一側には１つの吸気口２０４を有し、他側には１つの排気口２０６を有し、吸気口２０４、排気口２０６と収容空間２０２の三者は相互連通し、かつ吸気口２０４は収容空間２０２に油煙廃気１１を取り込むのに用いられる。吸気口２０４の油煙廃気の面風速は３ｍ／ｓｅｃよりやや小さい。
【００１７】
１つの殺菌装置３００はこの収容空間２０２内に設置され、油煙廃気１１の脱臭と浄化を行うのに用いられる。これ以外にも、この収容空間２０２内には濾過装置がさらに設けられ、濾過装置を使用して油煙廃気１１中の油汚れを濾過すると同時に、油煙廃気１１の臭気を吸着する。
本考案の１つの実施例によれば、この濾過装置は１つの前処理フィルタ４０１および１つの後処理フィルタ４０２を含むことができる。前処理フィルタ４０１は吸気口２０４の隣に近接設置され、油煙廃気１１の１回目の濾過を行う。さらに、後処理フィルタ４０２は排気口２０６の隣に近接設置され、油煙廃気１１の２回目の濾過を行う。
注目すべきは、本考案が開示した前処理フィルタ４０１および後処理フィルタ４０２の設置数は１つに限らない点である。つまり、本考案のその他の実施例によれば、収容空間２０２内における複数の前処理フィルタ４０１および／または複数の後処理フィルタ４０２の設置も選ぶことができ、より多くのフィルタを使用すれば油汚れを濾過して除去する効率が上がる。
【００１８】
同様に、別の観点から見れば、処理したい油煙が実際の装置が負担できる量に達しない場合は、前処理フィルタ４０１と後処理フィルタ４０２のうち１つを選んで設置することもでき、本考案の油分除去および脱臭設備の体積が縮小して製造コストも抑えられるので、実際の使用上の配慮がなされるだけでなく、本考案の目的の実現も可能となる。ここでは本考案の技術思想を説明するために、図２が示すような前リフレクタ４０１と後処理フィルタ４０２を同時に含む実施形態を例示するが、本考案の実施範囲はこれに制限されない。
【００１９】
さらに、本考案で使用する殺菌装置３００は少なくとも１つの紫外線（ＵＶＣ）ランプ３０１を含む。その装置を示す図３および図４を同時に参照されたい。図３は図２の実施形態の側面図であり、図４は同形態の平面図である。
図が示すように、紫外線（ＵＶＣ）ランプ３０１の設置数は１つまたは１つ以上であり、紫外線から発生するオゾンと紫外線の二重の効果を利用して、油煙の臭気除去、脱臭および殺菌に有効な作用を実現する。本考案の実施例によれば、紫外線（ＵＶＣ）ランプ３０１の外形はたとえばＵ字管型ランプを選ぶことができ、当該収容空間内に水平に設置された紫外線（ＵＶＣ）ランプ３０１を利用して油煙の脱臭および浄化工程を実行することができる。注目すべきは、本考案は、紫外線から発生したオゾンを利用している点である。一般的な放電式のオゾン発生器（Ｏｚｏｎｉｚｅｒ）から発生したオゾンとは異なり、本考案から発生したオゾンは人体に有害な窒素酸化物を生成しないクリーンなオゾンであるため、その効果は、サイズのせいで業務用の空気殺菌脱臭機より劣るということはなく、逆に、オゾンと紫外線の二重の効果を活用して、厨房の油煙から腐敗臭やかび臭さに至るまでさまざまな臭気の除去を効果的に達成できる。
一般的な家庭のキッチンでも大型レストランの業務設備等でも本考案が開示する紫外線（ＵＶＣ）ランプ３０１の脱臭および浄化効果を活用できるが、その紫外線（ＵＶＣ）ランプ３０１の設置数は実際に浄化が必要な油煙の量により、単一のランプにしたりランプの数を複数に増やしたりと、増減が可能である。また、紫外線（ＵＶＣ）ランプ３０１の殺菌の作用効率に関する規格は吸気口の油煙廃気量により自ら調整できる（たとえば、管型ランプの長さを調整したり、紫外線の波長を細かく選んだりできる）。即ち、本考案は高い殺菌能力を達成できるだけでなく、安全で衛生的な環境を維持できるという利点も同時に兼ね備える。
【００２０】
続いて、濾過装置の材質の選択について、図３乃至図４を参照されたい。
前処理フィルタ４０１および後処理フィルタ４０２は活性炭材質を含有することができ（図中では点により表す）、活性炭を利用して油煙廃気の臭気および油汚れを吸着する。活性炭の量が多すぎてフィルタが詰まり濾過効果が薄れる事態を回避するため、本考案が使用する活性炭はフィルタ面積を部分的に覆い、その覆う範囲はフィルタの面積の約８０％である。さらには、前処理フィルタ４０１および後処理フィルタ４０２の設置外観は平面状または屈曲状を選択できる。屈曲状に設置した場合、油煙廃気１１がフィルタを通過すると、その活性炭が油煙の臭気および油汚れを吸着する作用面積が大幅に増加するので、脱臭および油分除去の効果が高まる。
本考案の図２乃至図３が開示する実施例では後処理フィルタ４０２のみ屈曲状で例示して説明しているが、実際の実施時には、この技術分野を習熟する者は、前処理フィルタ４０１と後処理フィルタ４０２の両方、または前処理フィルタ４０１のみを屈曲状に設置することも選択でき、これらの場合も本考案の実施範囲に属する。
【００２１】
本考案のもう１つの実施例による厨房油煙の油分除去および脱臭設備の斜視図である図５および図５の側面図である図６を参照されたい。前述の実施例（図２乃至図４）と異なるのは、厨房油煙の油分除去および脱臭設備の本体２００に設けられた吸気口２０４および排気口２０６の位置である。
前述の実施例では吸気口２０４は本体２００の左側面に設けられ、排気口２０６は本体２００の右側面に設けられ、油煙廃気１１は左から右向きに流動するが、本実施例では、吸気口２０４は本体２００の左側面に設けられ、排気口２０６は本体２００の上面右側に設けられる。この場合、油煙廃気１１は、まず左から右の方向に流れ、最後に上向きになり、排気口２０６から流出する。
同様に、図７および図８では本考案のさらにもう１つの実施例を示す図を開示しており、ここでは、吸気口２０４は右側面に設けられ、排気口２０６は上面左側に設けられるように位置が選択される。この場合、油煙廃気１１は、まず本体の右側面から流入し、続いて前処理フィルタ４０１、紫外線（ＵＶＣ）ランプ３０１、後処理フィルタ４０２の順に濾過および殺菌作用を経た後、ゆっくりと本体の左側に流れて、最後に上向きになり、排気口２０６から流出するという方向である。
【００２２】
図９および図１０では本考案のさらにもう１つの実施例を示す図を開示する。本実施例も同様に、この本体２００の吸気口２０４および排気口２０６の位置が前述の実施例と異なる。図９乃至図１０が示す実施例では、吸気口２０４は本体の上面右側に設けられ、排気口２０６は左側面に設けられるように位置が選択される。この場合油煙廃気１１の流れは、まず本体の上表面から流入し、続いて前処理フィルタ４０１、紫外線（ＵＶＣ）ランプ３０１、後処理フィルタ４０２の順に濾過および殺菌作用を経た後、ゆっくりと本体の左側に流れて、最後に左側に位置する排気口２０６から流出するという方向である。
以上、これら異なる実施形態は見れば明らかであり、本考案が開示する厨房油煙の油分除去および脱臭設備は、その本体の吸気口と排気口の位置も制限されず、本分野を熟知して通常の知識を有する者は、実際の使用におけるニーズに応じてその位置および気流の方向を変更して本考案を実施することも可能であり、その場合も本考案の実施範囲に属する。
【００２３】
続いて図１１を参照されたい。この実施例は本考案の図９乃至図１０の実施形態に変化を加えたものであり、図１１からはっきりとわかるように、この実施例の紫外線（ＵＶＣ）ランプ３０１は収容空間２０２内において一定角度に傾斜して設置されており、もしくは、紫外線（ＵＶＣ）ランプ３０１は収容空間２０２内において直立または横たえて設置されてもよい。また同様に、紫外線の照射を利用して油汚れを分解し、殺菌作用を得ることができる。
そして、図１２は本考案のさらにもう１つの実施例を示す図であり、前述の実施例と異なるのは、本実施例では、吸気口２０４から流入した油煙廃気１１は、まず紫外線（ＵＶＣ）ランプ３０１の殺菌作用を経た後、さらに前処理フィルタ４０１と後処理フィルタ４０２による濾過および油汚れ等の工程に進む。言い換えれば、本考案が開示する厨房油煙の油分除去および脱臭設備は、その収容空間２０２内に設けられる前処理フィルタ４０１、後処理フィルタ４０２および紫外線（ＵＶＣ）ランプ３０１等の構成要素の順序も制限を受けない。たとえば、紫外線（ＵＶＣ）ランプ３０１は前処理フィルタ４０１の前方または後方、あるいは、後処理フィルタ４０２の前方または後方を選んで設置でき、さらには、設備中に前処理フィルタ４０１、後処理フィルタ４０２、紫外線（ＵＶＣ）ランプ３０１のうちの１つのみを設け、実際の使用上のニーズに応じて好ましく調整することもできる（たとえば図１１が示す実施例では、紫外線（ＵＶＣ）ランプ３０１および前処理フィルタ４０１のみを設けている）。
【００２４】
上述の多くの実施例は本考案の技術思想および特徴を説明するためのものに過ぎず、その目的は本考案の属する技術分野において、通常の知識を有する者が本考案の内容を理解し実施できるようにすることでにあり、本考案の実用新案登録請求の範囲を限定するものではない。したがって、本考案の精神に基づいてなされた変更や潤色はすべて、本考案の実用新案登録請の範囲内に含まれる。
【符号の説明】
【００２５】
１      油煙排気装置
１１    油煙廃気
２１    清浄気体
１００  厨房油煙の油分除去および脱臭設備
２００  本体
２０２  収容空間
２０４  吸気口  
２０６  排気口  
３００  殺菌装置
３０１  紫外線（ＵＶＣ）ランプ  
４０１  前処理フィルタ
４０２  後処理フィルタ  
【図１】
0003204813.tif 000003
【図２】
0003204813.tif 000004
【図３】
0003204813.tif 000005
【図４】
0003204813.tif 000006
【図５】
0003204813.tif 000007
【図６】
0003204813.tif 000008
【図７】
0003204813.tif 000009
【図８】
0003204813.tif 000010
【図９】
0003204813.tif 000011
【図１０】
0003204813.tif 000012
【図１１】
0003204813.tif 000013
【図１２】
0003204813.tif 000014